(57)【要約】【課題】十分な止水効果が発揮できるとともに、施工に熟練を必要とせず、しかも屋根の軽量化ができる隅棟の構造を形成すること。【解決手段】略水平方向に沿って並設された桟瓦２１からなる複数段の瓦列の端部にそれぞれ位置する隅瓦２２と、隅瓦２２に沿って上斜め方向に延設された垂木４２と、各隅瓦２２毎に設けられ、少なくとも隅瓦２２の上面と垂木４２の側面に渡って設けられるとともに、当該隅瓦２２の上段に位置する瓦列の隅瓦２２の下面に配置される差し面戸５０と、垂木４２及び差し面戸５０を上側から覆う冠瓦４３とを備えている。【選択図】      図６
2006348604.tif 000002
【特許請求の範囲】
【請求項１】
略水平方向に沿って並設された桟瓦からなる複数段の瓦列の端部にそれぞれ位置する隅瓦と、
これら隅瓦に沿って上斜め方向に延設された支持部材と、
各隅瓦毎に設けられ、少なくとも隅瓦の上面と上記支持部材の側面に渡って設けられるとともに、当該隅瓦の上段に位置する瓦列の隅瓦の下面に配置される差し面戸と、
上記支持部材及び上記差し面戸を上側から覆う冠瓦とを備えていることを特徴とする隅棟の構造。
【請求項２】
上記差し面戸は、防水性の部材で形成されていることを特徴とする請求項１に記載の隅棟の構造。
【発明の詳細な説明】
【技術分野】
【０００１】
本発明は、瓦葺きの屋根の隅棟の構造に関し、特に止水性を高め、かつ、施工が容易にできるものに関する。
【背景技術】
【０００２】
図１４は、瓦葺きの屋根の隅棟の構造の一例を示す図である。隅棟は、屋根の基本構成となる野地板１００に棟金具１０１を用いて取り付けられた垂木１０２を備えており、垂木１０２の上側から冠瓦（不図示）により覆われている。また、瓦は、水平方向に沿って並べられた図１５に示すような桟瓦１１０と、この桟瓦の端部に位置する図１６に示すように隅瓦１２０とを備えている。なお、図中１３０は桟瓦１１０の幅を調整する半瓦を示している。
【０００３】
桟瓦１１０には、隙間から浸入した雨水が家屋内にさらに浸入するのを防止するため、アンダーラップ１１１が設けられ、下段の桟瓦１１０上に流すようにしている。隅瓦１２０は、桟瓦１１０を隅棟の形状に合わせて切断したものであり、アンダーラップが設ける余地が無い場合もある。このため、隅棟は、瓦の下に雨水が入り込まないようにするための止水処理が必要となるとともに、美観上目隠し処理が必要である。
【０００４】
このため、図１７に示すように、土、なんばん、しっくい１４０等を用いて隅瓦１２０と垂木１０２との隙間を固めてしまう湿式工法（例えば、特許文献１参照）や、図１８に示すように、雨水の隅棟側への移動を防止するために柔軟性のあるシーラ１５０等を隅瓦上に設置する乾式工法（例えば、特許文献２参照）が行われていた。
【特許文献１】特許３４２５６４９号明細書
【特許文献２】特開平５−１３３０４３号公報
【発明の開示】
【発明が解決しようとする課題】
【０００５】
上述した隅棟の構造における止水処理は、次のような問題があった。すなわち、湿式工法では、施工技術が難しく、施工に熟練を必要とする。また、長期間の風雨・地震等により、しっくいが剥がれる等して止水効果が無くなるとともに、美観を損なうという問題がある。また、土は重量があるので、屋根自体が重くなるという問題があった。
【０００６】
一方、乾式工法では、上下に重なり合う隅瓦の段差をシーラで完全に吸収することは難しく、僅かな隙間が発生する。このため、台風時等、雨が瓦を伝って図１８中矢印αに示すように上昇するような場合、隙間１５１から雨が内部に浸入してしまうという問題があった。
【０００７】
そこで、本発明は、十分な止水効果が発揮できるとともに、施工に熟練を必要とせず、しかも屋根の軽量化ができる隅棟の構造を提供することを目的としている。
【課題を解決するための手段】
【０００８】
前記課題を解決し目的を達成するために、本発明の隅棟は次のように構成されている。
【０００９】
（１）略水平方向に沿って並設された桟瓦からなる複数段の瓦列の端部にそれぞれ位置する隅瓦と、これら隅瓦に沿って上斜め方向に延設された支持部材と、各隅瓦毎に設けられ、少なくとも隅瓦の上面と上記支持部材の側面に渡って設けられるとともに、当該隅瓦の上段に位置する瓦列の隅瓦の下面に配置される差し面戸と、上記支持部材及び上記差し面戸を上側から覆う冠瓦とを備えていることを特徴とする。
【００１０】
（２）前記（１）に記載された隅棟の構造であって、上記差し面戸は、防水性の部材で形成されていることを特徴とする。
【発明の効果】
【００１１】
本発明によれば、十分な止水効果が発揮できるとともに、施工に熟練を必要とせず、しかも屋根の軽量化が可能となる。
【発明を実施するための最良の形態】
【００１２】
図１は本発明の第１の実施の形態に係る隅棟の構造が適用される寄せ棟１０を示す平面図、図２は図１中Ａ−Ａ線で切断して矢印方向に見た断面図、図３は差し面戸５０を示す斜視図である。
【００１３】
寄せ棟１０は、野地板２０と、瓦が複数の列に並べられた平部３０と、平部３０同士の継ぎ目となる隅棟４０とから構成されている。平部３０は、略矩形状の桟瓦２１が並べられて形成されており、隅棟４０に到達する位置では、隅棟４０に沿って隅瓦２２が配置されている。なお、図中２３は桟瓦２１の幅を調整する半瓦を示している。
【００１４】
隅棟４０は、野地板２０同士の頂部に取り付けられた棟金具４１と、この棟金具４１に支持された垂木４２と、この垂木４２を覆う冠瓦４３とを備えている。垂木４２と隅瓦２２との間には、差し面戸５０が配置されている。差し面戸５０とは、図３に示すように、防水性のある薄板を折曲して第１部位５１と第２部位５２を有する部材である。差し面戸５０の一方の第１部位５１を垂木４２に沿って配置し、他方の第２部位５２を隅瓦２２の端面に沿って配置する。
【００１５】
ここで、図４〜図７に基づき、隅棟４０の施工方法を説明する。最初に、図４に示すように、予め桟瓦２１を並べておく。そして、次に、最下段（１段目）の隅瓦２２を並べ、この隅瓦２２上に、１番目の差し面戸５０を、第１部位５１が垂木４２に第２部位を隅瓦２２の上にかかるように取り付ける。
【００１６】
次に、図５に示すように、２段目の桟瓦２１を右方から並べてゆき、最後に隅瓦２２を１番目の差し面戸５０の上端部に少しかかるように並べる。同様にして、図６に示すように、最上段まで隅瓦２２と差し面戸５０とを交互に取り付けてゆき、最後に図７に示すように、冠瓦４３を取り付けて、隅棟４０の施工が完了する。
【００１７】
このように構成された隅棟４０においては、台風時等に桟瓦２１や隅瓦２２の表面に沿って雨が隅棟４０側に吹き込んだ場合であっても、差し面戸５０により、水が下段の隅瓦２２の表面に次々と案内されることとなり、最終的には、隅棟４０の下端部より外部に落下することとなる。
【００１８】
また、差し面戸５０は、上下に隣接する隅瓦２２の段差を乗り越える構造とはなっていないため、段差の部分で隙間が生じることがなく、この隙間から雨水が浸入することがなく、止水効果が高い。
【００１９】
差し面戸５０は、隅瓦２２と交互に載せるだけの簡単な施工により設置することができるため、施工に熟練を必要とせず、また、軽量化できる。さらに、差し面戸５０は、冠瓦４３に隠れる位置に配置されるため、隅瓦２２や冠瓦４３と別の素材を用いた場合であっても美観を損ねることがなく、より防水性の高い素材のものを自由に選択できる。
【００２０】
上述したように、本実施の形態に係る隅棟の構造においては、十分な止水効果が発揮できるとともに、施工に熟練を必要とせず、しかも屋根の軽量化が可能となる。
【００２１】
図８は差し面戸５０の代わりに、差し面戸５１を用いた隅棟を示す斜視図である。図８において、図６と同一機能部分には同一符号を付し、その詳細な説明は省略する。差し面戸５１は、シート状のものである。シート状の差し面戸５１（図９参照）では、隅瓦２２として波型のものを用いた場合であっても形状に追従しやすく、止水性を確保することができる。
【００２２】
図１０は差し面戸５０の代わりに、差し面戸５２を用いた隅棟を示す斜視図である。図１０において、図６と同一機能部分には同一符号を付し、その詳細な説明は省略する。差し面戸５２は、ウェーブ状のものである。ウェーブ状の差し面戸５２（図１１参照）では、隅瓦２２として波型のものを用いた場合であっても形状に追従しやすく、止水性を確保することができる。
【００２３】
図１２は、本発明の第２の実施の形態に係る隅棟の構造を示す図であって、図１中Ａ−Ａ線で示す位置で切断して矢印方向に見た断面図、図１３は差し面戸６０を示す斜視図である。なお、図１２において図２と同一機能部分には同一符号を付し、その詳細な説明は省略する。
【００２４】
本実施の形態においては、差し面戸５０の代わりに差し面戸６０を用いてる。差し面戸６０は、図１３に示すように、防水性のある薄板を折曲して一対の第１部位６１及び第２部位６２と、第３部位６３とを有する部材である。差し面戸６０の一方の第１部位６１を垂木４２に沿って配置し、第２部位６２を隅瓦２２の端面に沿って配置し、第３部位６３を垂木４２の上側に被せて配置する。
【００２５】
本第２の実施の形態に係る隅棟の構造においても、上述した第１の実施の形態に係る隅棟の構造と同様の効果を得ることができるとともに、隅棟４０を挟んだ両側において同時に施工することができるので、作業効率を向上させることができる。
【００２６】
なお、本発明は前記実施の形態に限定されるものではなく、本発明の要旨を逸脱しない範囲で種々変形実施可能であるのは勿論である。
【図面の簡単な説明】
【００２７】
【図１】本発明の第１の実施の形態に係る隅棟の構造が適用される寄せ棟を示す平面図。
【図２】図１中Ａ−Ａ線で切断して矢印方向に見た断面図。
【図３】同隅棟に用いられる差し面戸を示す斜視図。
【図４】同隅棟の差し面戸の施工手順を示す斜視図。
【図５】同隅棟の差し面戸の施工手順を示す斜視図。
【図６】同隅棟の差し面戸の施工手順を示す斜視図。
【図７】同隅棟の差し面戸の施工手順を示す斜視図。
【図８】同差し面戸の変形例が適用された隅棟を示す斜視図。
【図９】同差し面戸の変形例を示す斜視図。
【図１０】同差し面戸の変形例が適用された隅棟を示す斜視図。
【図１１】同差し面戸の変形例を示す斜視図。
【図１２】本発明の第２の実施の形態に係る隅棟の構造が適用される寄せ棟を図１中Ａ−Ａ線で切断して矢印方向に見た断面図。
【図１３】同隅棟に用いられる差し面戸を示す斜視図。
【図１４】隅棟と桟瓦及び隅瓦との位置関係を示す斜視図。
【図１５】桟瓦の一例を示す斜視図。
【図１６】隅瓦の一例を示す斜視図。
【図１７】隅棟の止水構造の一例を示す斜視図。
【図１８】隅棟の止水構造の他の例を示す斜視図。
【符号の説明】
【００２８】
１０…寄せ棟、２０…野地板、３０…平部、４０…隅棟、４１…棟金具、４２…垂木、４３…冠瓦、５０〜５２、６０…差し面戸。
【図１】
2006348604.tif 000003
【図２】
2006348604.tif 000004
【図３】
2006348604.tif 000005
【図４】
2006348604.tif 000006
【図５】
2006348604.tif 000007
【図６】
2006348604.tif 000008
【図７】
2006348604.tif 000009
【図８】
2006348604.tif 000010
【図９】
2006348604.tif 000011
【図１０】
2006348604.tif 000012
【図１１】
2006348604.tif 000013
【図１２】
2006348604.tif 000014
【図１３】
2006348604.tif 000015
【図１４】
2006348604.tif 000016
【図１５】
2006348604.tif 000017
【図１６】
2006348604.tif 000018
【図１７】
2006348604.tif 000019
【図１８】
2006348604.tif 000020